(57)【要約】【課題】情報端末装置に携帯電話を接続して他の情報装置とデータ通信する場合に、携帯電話との初期接続の検知を短時間に簡単に行なうことができる情報端末装置並びに携帯電話接続検出方法を提供する。【解決手段】情報端末装置と携帯電話との接続を検出するステップを二つに分けて、携帯電話側の上りシリアル信号端子の電位を上記情報端末装置側で検出する第１のステップと、その電位より携帯電話が存在することが確認された後、情報端末装置から携帯電話に対して携帯電話の固有の情報を要求する信号を送出し、携帯電話から該情報を収得する第２のステップにより接続検出を行なうようにした。【選択図】  図５
2004214841.tif 000002
【特許請求の範囲】
【請求項１】
携帯電話と接続し、公衆回線や専用回線を利用して他の情報装置とデータ通信を行なう情報端末装置において、該情報端末装置から上記携帯電話に送られるシリアル信号を受信するための上記携帯電話における上りシリアル信号端子の電位を検出して上記携帯電話の存在の有無を検知する手段と、存在が確認された後に上記携帯電話の電話番号等の固有情報を収得する手段とを有することを特徴とする情報端末装置。
【請求項２】
情報端末装置と携帯電話との接続を検出する方法であって、上記情報端末装置から上記携帯電話に送られるシリアル信号を受信するための携帯電話側の上りシリアル信号端子の電位を上記情報端末装置側で検出する第１のステップと、該電位より携帯電話が存在することが確認された後、上記情報端末装置から上記携帯電話に対して携帯電話の固有情報を要求する信号を送出し、携帯電話から該情報を収得する第２のステップとを有することを特徴とする情報端末装置と携帯電話との接続検出方法。
【請求項３】
請求項２において、上記第２のステップは、フォーマット番号や個人番号等の固有情報を逐次収得するステップを含むことを特徴とする情報端末装置と携帯電話との接続検出方法。
【請求項４】
請求項３において、上記第２のステップの個々の情報を収得するステップにはタイマーを設定せず、第２のステップ全体に対して一括タイマーを設定することを特徴とする情報端末装置と携帯電話との接続検出方法。
【請求項５】
請求項４において、一括タイマーにより設定した時間内に情報収得が終了しなかったときは、第２のステップをリトライすることを特徴とする情報端末装置と携帯電話との接続方法。
【請求項６】
請求項５において、リトライした後、再び一括タイマーの設定時間内に情報収得の処理が終了しなかったときは、情報端末装置より携帯電話に対して強制リセットをかけることを特徴とする情報端末装置と携帯電話との接続検出方法。
【発明の詳細な説明】
【０００１】
【発明の属する技術分野】
本発明は公衆電話回線や専用回線と携帯電話を利用して他の情報装置とデータ通信が可能な情報端末装置に係り、特に携帯電話との初期接続の検知を短時間で簡単に行なうことができる情報端末装置並びに携帯電話接続検出方法に関するものである。
【０００２】
【従来の技術】
近年、携帯電話を接続し、サーバから所望の情報を入手できるような情報端末装置が普及してきている。例えば、遠隔地にあるサーバに自車位置に関する情報を伝送し、サーバからその位置における天候の情報や交通情報を取得するというようなナビゲーション装置である。このような場合にはまず、情報端末装置を携帯電話に接続し、情報端末がその携帯電話を認識できなければならない。
【０００３】
図１は情報端末装置と携帯電話との接続の概念図であり、１が車載ナビゲーション装置等の情報端末装置、２が携帯電話等の移動無線端末である。この情報端末装置１に例えば１６芯の線で接続させたプラグ３を、携帯電話２のレセプタクル４に挿入することにより両者が接続される。
【０００４】
その後、情報端末装置１より携帯電話２に対してその個人番号等の固有の情報を要求し、携帯電話２がその要求に応答して情報を伝送し、情報端末装置１による情報収得が完了すると、情報端末装置１は携帯電話２の存在を認識していた。この初期接続の後、情報端末装置１は通信アプリケーションを起動して通信回線に接続し、遠隔地のサーバ等とデータ通信を行なっていた。
【０００５】
【発明が解決しようとする課題】
しかしながら、上述の初期接続の方法では、携帯電話の種類や機種により、個人番号等の固有情報の応答が遅かったり、応答が２回きたり、或いは携帯電話のモードにより情報の送出タイミングが異なったりしていて、接続認識に時間がかかったり、接続に失敗することが多いという問題があった。特に近年は、携帯電話の種類が飛躍的に多くなり、情報端末により実際に認識できる携帯電話は、全体の８割程度とみられており、しかもその認識に要する時間が益々長くなるという問題があった。
【０００６】
このような点に鑑み、本発明は携帯電話の接続の検出を短時間で簡便に行ない得る情報端末装置及び接続検出方法を提供することを目的とする。
【０００７】
本発明の他の目的は、携帯電話から個人番号や移動機情報等の固有情報を収得する際に、応答が速い携帯電話については、その応答時間に応じて短時間で該情報の収得ができるようにすることによって高いユーザビリティを確保できる情報端末装置及び接続検出方法を提供することにある。
【０００８】
【課題を解決するための手段】
この課題を解決するために本発明に係る情報端末装置は、情報端末装置から携帯電話に送られるシリアル信号を受信するための携帯電話における上りシリアル信号端子の電位を情報端末側で検出して携帯電話の存在の有無を検知する手段と、存在が確認された後に携帯電話の電話番号等の固有情報を収得する手段とを有することに一つの特徴がある。このように構成すると、携帯電話が存在するか否かの情報を迅速に収得することができる。
【０００９】
本発明の他の特徴は、情報端末装置と携帯電話との接続を検出するステップを、携帯電話側の上りシリアル信号端子の電位を上記情報端末装置側で検出する第１のステップと、該電位より携帯電話が存在することが確認された後、情報端末装置から携帯電話に対して携帯電話の固有の情報を要求する信号を送出し、携帯電話から該情報を収得する第２のステップとに分離したことにある。このようにすると、従来の如く携帯電話の抜き差し検出と電話番号等の固有情報の収得を一つのステップで行なう方法に比べ、携帯電話の抜き差しの検出を迅速に行なうことができ、しかも電話の固有情報の収得も正確に早く行なうことができる。
【００１０】
本発明の他の特徴は、上記第２のステップは、フォーマット番号や個人番号等の少なくとも２以上の固有情報を逐次収得するステップを含み、個々の情報を収得するステップにはタイマーを設定せず、第２ステップ全体に対して一括タイマーを設定するようにしたことにある。このようにすると、応答の早い携帯電話にはその応答時間に応じて短時間で対応でき、ユーザビリティを高めることができるという利点がある。
【００１１】
本発明の他の特徴は、一括タイマーにより設定した時間内に情報収得が終了しなかったときは、第２のステップをリトライし、リトライした後、再び一括タイマーの設定時間内に情報収得の処理が終了しなかったときは、情報端末装置より携帯電話に対して強制リセットをかけるようにしたことにある。その他の特徴および本発明の効果は以下の実施例の説明からさらに明瞭に把握されよう。
【００１２】
【発明の実施の形態】
図２は本発明にかかる情報端末装置の基本構成を示す。同図で情報端末装置  １は中央処理装置（以下、ＣＰＵと略す）１１、リードオンリーメモリ（以下ＲＯＭと略す）１２、ランダムアクセスメモリ（以下ＲＡＭと略す）１３、入力部１４、表示部１５及びインターフェース部１６を有し、これらはバス１７によって相互に結合されている。
【００１３】
ＲＯＭ１２には情報端末装置１のＯＳや、モデムソフト、各種アプリケーションソフト等が格納されている。ＲＯＭ１２に代えてフラッシュメモリ等の不揮発性のメモリを用いることもできる。ＲＡＭ１３は各種のソフトの実行の際にワークエリア等に使用される領域で、高速に情報の書き込みや読み出しが可能なシンクロナスＤＲＡＭ等のメモリである。ＲＯＭ１２に格納されたプログラムを実行することにより得られたデータは表示部１５に表示され、たとえばナビゲーションの機能を果たすために地図情報の描画等が行なわれる。入力部１４からは表示された画面を見ながら指示された情報を入力する場合等に用いられる。また、インターフェース部１６には、携帯電話２が接続される。
【００１４】
第２世代の携帯電話として既に多くの種類が開発されているが、基本的にはＰＤＣのような１６芯のインターフェースを持ったものと、ｃｄｍａＯｎｅのように１８芯のインターフェースを持ったものに大別される。図３は１６芯のインターフェースを持った携帯電話の各端子の名称、及び各端子の役割を示したものである。
【００１５】
本発明においては、上りシリアル信号及び下りシリアル信号を伝送するための端子（６），（７）がライン３４，３３を介してＣＰＵ１１のシリアル端子に接続される。また、携帯機操作部制御信号１及び携帯機操作部制御信号２を伝送するための端子（１２）及び（１３）がライン３１，３２を介してＣＰＵ１１のＩ／Ｏ端子に接続される。
【００１６】
上りシリアル信号端子（６）は、情報端末１から携帯電話２に送られてくるシリアル信号を受信するための携帯電話２側の端子であり、下りシリアル端子（７）は逆に、携帯電話２から情報端末１へシリアル信号を伝送するための携帯電話２側の端子である。一方、携帯機操作部制御信号１及び２の端子（１２）及び（１３）は、情報端末１から携帯電話２を制御する信号を受信するための端子であり、電話２のオン・オフを制御する信号等の受信に用いられる。
【００１７】
従来は、端子（６）から携帯電話の固有情報、例えば電話番号や携帯電話の通信方式等の情報を要求する信号を携帯電話に送り、携帯電話から端子（７）を介してその情報が送出され、情報端末装置１でその情報収得に成功した場合に、初めて携帯電話の接続の有無を認識していたが、本発明は、初期接続を二つのステップに分け、単純に、携帯電話の接続の有無のみを認識する第１のステップと、携帯電話の電話番号や通信方式等の固有情報を収得する第２のステップとに分けている。  第１ステップでは、上りシリアル端子（６）の電圧を検出することにより携帯電話が接続されたか否かをまず判断する。
【００１８】
図４は上記の上りシリアル端子（６）近傍の回路構成例を示す。情報端末装置１のＣＰＵ１１のシリアル端子から送られてくるデータはトランジスタＴｒをＯＮ／ＯＦＦさせることで端子（６）に発生する電圧として携帯電話２内のダイオードＤ、ＣＭＯＳ回路等を通して取り込まれる。
【００１９】
一方、携帯電話２のＣＭＯＳ回路は電源Ｖｃｃに接続され、ダイオードＤの一端もプルアップ抵抗Ｒ１を通して電源Ｖｃｃに接続されている。一例として、Ｖｃｃは２．８〜５Ｖ、プルアップ抵抗Ｒ１は１０ＫΩ、抵抗Ｒ２は１００Ω程度に選ばれる。
【００２０】
携帯電話２が接続されていない時は、端子（６）に繋がる情報端末装置１側の端子は開放されているので該端子の電圧が１Ｖ程度しかないが、接続されてもデータはまだ伝送されていない時（つまりトランジスタＴｒがＯＦＦの状態の時には）、Ｖｃｃの電圧が抵抗Ｒ１，ダイオードＤを通して端子（６）に現れるため、端子（６）はＶｃｃに近い（ダイオードＤ等による電圧降下がある為）レベルになる。本発明では抵抗Ｒ２を通してこの電圧をＣＰＵ１１で検知する。すなわち、上りシリアルの電圧を常に検知し、携帯電話の抜き差しはこの電圧が所定のレベル以上になっているか否かにより認識する。そして、携帯電話２が接続されていると認識されたときのみ次の第２のステップに進み、携帯電話の固有情報の収得が行なわれる。
【００２１】
図５は本発明により情報端末と携帯電話の初期接続を認識するプログラムのフローを示す。基本的には前述のように携帯電話の接続の有無のみを検出するステップ１０１と、携帯電話の各種の固有情報を取得するステップ１１３からなりたっている。ステップ１００はユーザにより、携帯電話２のレセクタプル４に情報端末装置１から出ているケーブルのプラグ３を抜き差しする操作が行われることを示している。上りシリアル端子（６）（図４）に所定レベル以上の電圧が現れ、これがＣＰＵ１１により検出されると（ステップ１０１）、携帯電話２が情報端末１に接続されたと認識される。ＣＰＵ１１は一定のタイマーにより常時上りシリアル信号のレベルを監視し、携帯電話の抜き差しを検出する。そして携帯電話があることが検出されると直ちに次の、情報取得のステップに移る。但し、接続確認のシーケンス自体にはタイマーは用いない。つまり、一定の時間に達しなくても、携帯電話が検出された時点で次のステップに移る。従って、従来のように携帯電話の電話番号等の固有情報を受け取ることに成功した時点で携帯電話が接続されていると認識する方法に比べ、極めて高速に接続有無情報を得ることができる。
【００２２】
携帯電話が接続されていると認識された場合は、ステップ１０２に進み、情報端末装置１は携帯電話に対して個人番号の要求を行なう。そしてステップ１０３において携帯電話から個人番号（電話番号）を受信する。
【００２３】
次に、ステップ１０４で、情報端末１は携帯電話１に対し、ハンズフリー通知（ＯＮ）を送信する。携帯電話は通常、音声を外部に出力しないため、ハンズフリー装置等を使用する場合は音声を外部に切換える必要がある。情報端末装置よりハンズフリー通知（ＯＮ）を受信すると携帯電話は以下の処理を行う。
まず非電話通信中にハンズフリー通知（ＯＮ）を受信するとハンズフリー確認（ＯＦＦ）を出力し、携帯電話をハンズフリー装置ＯＦＦモードに設定する。また非電話通信中以外の時に受信すると、ハンズフリー確認（ＯＮ）を出力し、携帯電話をハンズフリー装置ＯＮモードに設定すると共に、音声を外部に出す状態とする。ステップ１０５ではハンズフリー確認待ちを行い、ＯＮ又はＯＦＦの信号を受信する。従来はこのステップ１０５や、後述のステップ１０７，１０９に個々にリトライタイマーを設定し、設定された時間内に応答がないと、再び情報端末装置１から問い合わせの信号を送っていたが、本発明では全体のステップ１１３に対してタイマーが設定されるだけで、個々にはリトライをするかどうかを判定するためのタイマーは用いない。
【００２４】
ステップ１０６では情報端末装置１から携帯電話２に対し、フォーマット番号の要求を出す。この後、情報端末１は携帯電話２からの応答信号を待つ（ステップ１０７）。さらに情報端末装置１は、ステップ１０８において、携帯電話２に対して移動機情報（携帯電話の能力、保持できる情報等）を要求する。ステップ１０９で移動機情報の応答を待って、その情報が得られれば必要な情報が収得されたと判断してステップ１１２の待機状態に入る。
【００２５】
一方、一連の情報収得のステップ１１３に対して例えば２分間のタイマーが設定されており、上りシリアル信号端子のハイレベルを検出した後、上記の設定時間内にステップ１０２から１０９までの処理が終了しない場合は、ＣＰＵ１１は１回目のリトライ信号を発生してステップ１０２に戻り、再び一連の処理が繰り返して行なわれる。さらに１回目のリトライで更に２分間のタイマーを設定して一連のシーケンス（ステップ１０２から１０９まで）を終了できない場合はステップ１１０に進み携帯電話２をリセットする。このリセットは、前述の図２におけるライン３２（もしくは３２と３１）を介してＣＰＵ１１から携帯電話２に携帯機操作制御信号２（もしくは携帯機操作制御信号１と２）をローレベルにすることにより行われる。そして情報端末１はステップ１１１で携帯電話２からライン３２を介してリセット信号を受付けた旨の信号を受信すると、再度ステップ１０２からの一連の処理を行う。
【００２６】
【発明の効果】
以上説明したように本発明は、情報端末装置と携帯電話との接続を検出する処理を大きく２つのステップに分け、最初に、上りシリアル信号の端子の電圧から、携帯電話の接続有無のみの情報を収得し、次にその接続が確認されてから電話番号等の固有の情報を収得するようにしたので、従来のように携帯電話の抜き差し検出と、電話番号等の固有情報の収得を同一シーケンスの中で行なっている方式に比べ、抜き差しの検知が迅速に行なうことができ、しかも固有情報の収得も正確に早く行なうことが可能になる。また従来は、抜き差し検出と固有情報の収得を同一シーケンスで行なっていたため、機種依存性が強くソフトウエアが膨大化していたがそのような欠点も改善することができる。
【００２７】
また、データ収得の個々のステップにタイマーを設定するのではなく、一括して全体のタイマーを設定する方式を採用することにより応答時間の早い携帯電話に対しては短時間で対応でき、遅い携帯電話に対しても同処理を繰り返すことで確実に対応でき、ユーザビリティを高めることができるという効果もある。
【図面の簡単な説明】
【図１】情報端末装置と携帯電話の接続を示す概念図
【図２】本発明にかかる情報端末装置の構成例を示す概略構成図
【図３】携帯電話の外部接続インターフェース部の端子名称と役割を示す説明図
【図４】上りシリアル信号端子近傍の携帯電話側および情報端末側の回路図
【図５】本発明の一実施例を示す初期接続シーケンスを示す流れ図
【符号の説明】
【図１】
2004214841.tif 000003
【図２】
2004214841.tif 000004
【図３】
2004214841.tif 000005
【図４】
2004214841.tif 000006
【図５】
2004214841.tif 000007